(57)【要約】      （修正有）【課題】キャビネットの外観を損なうことなく、また、ロック機構が外から見えないために気付かれ難く、かつ、ロックの施錠や解除が容易で鍵が要らず、しかも、簡易な構成で実現可能なロック機構を有するロック付キャビネットを提供する。【解決手段】引出し５と、この引出しの下方に配置される横桟１０または仕切板１１を備え、上記引出し５の底板６と上記横桟１０または仕切板１１とが、互いに係合して引出し操作を停止させる係合片９、１２を有するロック機構付キャビネット１である。上記において、引出し５の底板６に設けられた係合片９が、下方へ向けた突出部１３を有し、横桟１０または仕切板１１に設けられた係合片１２が、機軸１４を中心に回転し、前記係合片１２の長尺方向の両端に、上方へ向けた突出部１６、１７を有するロック機構付キャビネット１である。【選択図】  図２
2008104784.tif 000002
【特許請求の範囲】
【請求項１】
引出しと、この引出しの下方に配置される横桟または仕切板を備え、
上記引出しの底板に設けられた係合片Ａと、上記横桟または仕切板に設けられた係合片Ｂとが、互いに係合して引出し操作を停止させるロック機構付キャビネット。
【請求項２】
請求項１において、
引出しの底板に設けられた係合片Ａが、下方へ向けた突出部ａを有し、
横桟または仕切板に設けられた係合片Ｂが、機軸を中心に回転し、前記係合片Ｂの長尺方向の両端に、上方へ向けた突出部ｂ、ｃを有するロック機構付キャビネット。
【請求項３】
請求項２において、
係合片Ｂが機軸を中止に回転する角度によって、係合片Ａの下方に向けた突出部ａと前記係合片Ｂの上方に向けた突出部ｂ、ｃの何れかとが係合する状態と、係合しない状態とを構成するロック機構付キャビネット。
【請求項４】
請求項１から請求項３の何れかにおいて、
係合片Ｂの上方へ向けた突出部ｂ、ｃが、機軸を挟んだ係合片Ｂの長尺方向の両端のそれぞれに設けられ、
その一方の突出部ｂが、係合片Ｂの長尺方向に対して、直交する方向に幅を有し、
他方の突出部ｃが、係合片Ｂの長尺方向に対して、斜め方向に幅を有するロック機構付キャビネット。
【請求項５】
請求項１から請求項４の何れかにおいて、
係合片Ａの下方へ向けた突出部ａが、係合片Ｂの上方へ向けた突出部の一方の突出部ｂと係合する状態となるように係合片Ｂの角度を設定した場合であって、
前記下方へ向けた突出部ａが、上方へ向けた突出部の他方の突出部ｃを、一方の突出部ｂの方向に向って押した場合は、前記係合する状態が解除されるロック機構付キャビネット。
【請求項６】
請求項１から請求項５の何れかにおいて、
係合片Ａの下方へ向けた突出部ａが、円柱状であるロック機構付キャビネット。
【請求項７】
請求項１から請求項６の何れかにおいて、
係合片Ｂの回転範囲を限定し、かつ回転範囲の両端部にてこの係合片Ｂを係止する磁石を備えたロック機構付キャビネット。
【発明の詳細な説明】
【技術分野】
【０００１】
本発明は、キッチンや洗面化粧台などに使用されるキャビネットに関し、特には、縦方向に複数の引出しを備えたキャビネットに関する。
【背景技術】
【０００２】
キャビネットにおいては、第三者が容易に取り出せないようにする工夫が要求される場合がある。特に、キッチンや洗面化粧台などに使用されるキャビネットでは、包丁や調理バサミ、カミソリ等の取り扱いに注意を要する物が収納されるため、このような物を収納した箇所を不用意に開けることができない工夫が要求されている。
【０００３】
この要求に応えるキャビネットとして、引出しの前板に鍵穴を設け、ここへ鍵を挿し回転させることで引出し側とキャビネット側の係合片同士を係合させるロック機構を有するものが知られている。
【０００４】
また、キャビネットの扉の裏側に包丁を差し込んで収納できる専用のケースを設け、このケースが扉の裏面に沿って横方向にスライドすることにより包丁の出し入れを可能とし、スライドするケースと扉の裏面との間にロック機構を設けたものが考案されている（特許文献１）。
【０００５】
また、キャビネットの扉を開けた奥のスペースに包丁を収納する内引出しを設け、この内引出しにマグネット式のロックを設けたキャビネットが考案されている（特許文献２）。
【特許文献１】実開平５−４８８４７号公報
【特許文献２】特開２００５−１５２４８１号公報
【発明の開示】
【発明が解決しようとする課題】
【０００６】
しかしながら、引出しの前板に鍵穴を設ける方法では、外側から鍵穴が見えてしまい、見栄えが悪い。また、ロックを解除させる度に鍵が必要となり、また、紛失の危険があるため保管の必要が生じる等、面倒で使い勝手が悪い。
【０００７】
また、特許文献１においては、ロック機構が見え、しかも手が届く位置にあるため、幼児などがいたずらをして開けてしまうことが考えられる。特許文献２においては、ロックを解除させる度に鍵が必要となり、また、紛失の危険があるため保管の必要が生じる等、面倒で使い勝手が悪い問題がある。
【０００８】
本発明は、このような課題を解決するためになされたものであり、キャビネットの外観を損なうことなく、また、ロック機構が外から見えないために気付かれ難く、かつ、ロックの施錠や解除が容易で鍵が要らず、しかも、簡易な構成で実現可能なロック機構を有するロック付キャビネットを提供することを目的とする。
【課題を解決するための手段】
【０００９】
本発明は、以下のものに関する。
（１）  引出しと、この引出しの下方に配置される横桟または仕切板を備え、上記引出しの底板に設けられた係合片Ａと、上記横桟または仕切板に設けられた係合片Ｂとが、互いに係合して引出し操作を停止させるロック機構付キャビネット。
（２）  （１）において、引出しの底板に設けられた係合片Ａが、下方へ向けた突出部ａを有し、横桟または仕切板に設けられた係合片Ｂが、機軸を中心に回転し、前記係合片Ｂの長尺方向の両端に、上方へ向けた突出部ｂ、ｃを有するロック機構付キャビネット。
（３）  （２）において、係合片Ｂが機軸を中止に回転する角度によって、係合片Ａの下方に向けた突出部ａと前記係合片Ｂの上方に向けた突出部ｂ、ｃの何れかとが係合する状態と、係合しない状態とを構成するロック機構付キャビネット。
（４）  （１）から（３）の何れかにおいて、係合片Ｂの上方へ向けた突出部ｂ、ｃが、機軸を挟んだ係合片Ｂの長尺方向の両端のそれぞれに設けられ、その一方の突出部ｂが、係合片Ｂの長尺方向に対して、直交する方向に幅を有し、他方の突出部ｃが、係合片Ｂの長尺方向に対して、斜め方向に幅を有するロック機構付キャビネット。
（５）  （１）から（４）の何れかにおいて、係合片Ａの下方へ向けた突出部ａが、係合片Ｂの上方へ向けた突出部の一方の突出部ｂと係合する状態となるように係合片Ｂの角度を設定した場合であって、前記下方へ向けた突出部ａが、上方へ向けた突出部の他方の突出部ｃを、一方の突出部ｂの方向に向って押した場合は、前記係合する状態が解除されるロック機構付キャビネット。
（６）  （１）から（５）の何れかにおいて、係合片Ａの下方へ向けた突出部ａが、円柱状であるロック機構付キャビネット。
（７）  （１）から（６）の何れかにおいて、係合片Ｂの回転範囲を限定し、かつ回転範囲の両端部にてこの係合片Ｂを係止する磁石を備えたロック機構付キャビネット。
【発明の効果】
【００１０】
本発明によれば、キャビネットの外観を損なうことなく、また、ロック機構が外から見えないために気付かれ難く、かつ、ロックの施錠や解除が容易で鍵が要らず、しかも、簡易な構成で実現可能なロック機構を有するロック付キャビネットを提供することができる。
【発明を実施するための最良の形態】
【００１１】
本発明の対象となるキャビネットは、引出しを有するものであれば特に限定するものではないが、特に、包丁や調理バサミ、カミソリなどを収納する引出しを備えるキッチンキャビネットや洗面化粧台が挙げられる。このようなものとして、キッチンキャビネットの一例を図１に示す。このキッチンキャビネット１は、シンク２と、カウンタートップ３と、その下方には、前板４を備えた引出し５とを有する。
【００１２】
図２に引出し５を側面から見た断面図を示す。このように、引出し５は、前板４、側板（図示しない）、底板６、背板７を備え、これらにより包丁などを収納可能な引出し箱８を構成する。ロック機構を取付ける引出し５には、底板６の下面に、ロック機構の一部である係合片Ａ９をねじなどで取付ける。
【００１３】
図３は、ロック機構を取付けたキッチンキャビネットから、引出しを外した状態でみた斜視図である。図３に示すように、横桟１０または仕切板１１は、引出し（図示しない）の下方に位置し、引出しと引出しとを上下方向に区切るものである。ロック機構を取付けることができる大きさや厚み、形状を持つものであればよい。また、図２、及び、図３に示すように、ロック機構を取付ける横桟１０または仕切板１１には、その上面に、ロック機構の一部である係合片Ｂ１２をねじなどで取付ける。このように、ロック機構が、キッチンキャビネット１の外から見えない位置に取付けられているため、キッチンキャビネット１の外観を損なうことなく、また、ロック機構が外から見えないために気付かれ難い。
【００１４】
図２、及び、図４から図９に示すように、ロック機構を取付ける引出し５の底板６の下面に取付けられた係合片Ａ９は、下方に向けた突出部ａ１３を有する。横桟１０または仕切板１１の上面に取付けられた係合片Ｂ１２は、機軸１４を中心に回転するようになっており、この回転する係合片Ｂ１２の長尺方向の両端に、上方へ向けた突出部ｂ１６及び突出部ｃ１７とを有する。なお、図４から図９では、ロック機構だけを示しており、係合片Ａ２０をねじ２１で固定するための引出しの底部、及び、つまみ１９と係合片Ｂ１２との間の横桟１０または仕切板１１などは省略してある。
【００１５】
図２、及び、図４から図９に示すように、上方へ向けた突出部ｂ１６及び突出部ｃ１７は、回転する係合片Ｂ１２の機軸１４を挟んだ係合片Ｂの長尺方向の両端のそれぞれに位置し、その一方の突出部ｂ１６は、係合片Ｂの長尺方向、即ち、機軸１４を通って係合片Ｂの長尺方向の両端を結ぶ方向に対して、略垂直（図４のθＡ）となる方向に幅を有する。そして、この一方の突出部ｂ１６と機軸１４を挟んで反対側に位置する他方の突出部ｃ１７は、係合片Ｂの長尺方向、即ち、機軸１４を通って係合片Ｂの長尺方向の両端を結ぶ方向に対して、斜め方向に幅を有する。この斜めの角度（図４のθＢ）は、（００２２）〜（００２５）段落で述べるように、引出し５をキッチンキャビネットから引出した状態において、ロック状態とした場合の動作機構を確保できるものであればよく、係合片Ａの下側に向いた突出部ａの幅、係合片Ｂの上側に向いた突出部ｂ、ｃの幅やこれらの間の距離、その他によっても変わるものであるが、２０度〜７０度が望ましい。また、特に、２５度〜２６度が動作をより確実にできる点で更に望ましい。
【００１６】
図２に示すように、つまみ１９は、横桟１０または仕切板１１を挟んで、係合片Ｂ１２と機軸１４により繋がれており、つまみ１９を回すことにより、係合片Ｂ１２も回転する。そして、引出し５をキッチンキャビネットに収納した状態では、係合片Ａ９の下方にむけた突出部ａ１３が、係合片Ｂ１２の上方へ向けた突出部ｂ１６よりも、キッチンキャビネットの奥側（図２の左側）に位置するようにされる。
【００１７】
引出し５をキッチンキャビネットに収納した状態において、ロック状態とする機構について説明する。図４に示すように、係合片Ｂ１２の上方に向けた突出部ｂ１６が、係合片Ａ９の引出し方向（図４では下方）に向けた突出部ａの進行を妨げる位置となるように、つまみ１９を回すことで、ロック状態とすることができる。なお、ロック状態とするために、このつまみ１９を回す角度は、つまみ１９の回転範囲の一端となるようにすると、わざわざ目で見て操作する必要はなく、手探りでのつまみ操作が可能である。このように、引出しを引出す操作を行う場合、係合片Ａ９の下方に向けた突出部ａ１３が、図の引出し方向に移動するが、係合片Ｂ１２の上方に向けた突出部ｂ１６により、その移動を妨げ、引出しを開けることができない。つまり、係合片Ａ９と係合片Ｂ１２とが係合して、引出し操作を停止することによって、ロック状態となる。
【００１８】
次に、引出し５をキッチンキャビネットに収納した状態において、ロックを解除状態とする機構について説明する。図５、及び、図６に示すように、係合片Ｂ１２の上方に向けた突出部ｂ１６が、係合片Ａ９の引出し方向（図５、図６では下方）に向けた突出部ａの進行を妨げない位置となるようにつまみ１９を回すことで、ロック状態を解除することができる。つまり、引出しを引出す際の係合片Ａ９の下方に向けた突出部ａの移動の方向に対して、係合片Ｂ１２の上方に向けた突出部ｂ１６の一端と突出部ｃ１７の一端との間隔Ｇが、係合片Ａ９の下方に向けた突出部ａの幅Ｗよりも大きくなる角度につまみ１９を回すことでロックを解除できる。なお、このつまみ１９を回す角度は、つまみ１９の回転範囲の一端となるようにすると、わざわざ目で見て操作する必要はなく、手探りでのつまみ操作が可能である。このように、引出しを引出す操作を行う場合、係合片Ａ９の下方へ向けた突出部ａ１３が、係合片Ｂ１２上方へ向けた突出部ｂ１６の一端と突出部ｃ１７の一端との間隙Ｇを通過することができるので、引出し操作を妨げることがなく、引出しを自由に開閉できる。つまり、係合片Ａ９と係合片Ｂ１２との係合が解除して、ロック解除状態となる。
【００１９】
以上説明したように、引出し５をキッチンキャビネットに収納した状態においては、図４から図６に示すように、下方に向けた突出部ａ１３と、上方に向けて突出する突出部ｂ１６とが、つまみ１９により係合片Ｂ１２を回転する角度によって、係合する状態と係合しない状態とを構成することができ、ロック状態とロック解除状態を構成することができる。このため、ロックの施錠や解除に鍵が要らないため、使い勝手がよい。さらに、簡易な機構でロック機構を実現できる。
【００２０】
次に、引出し５をキッチンキャビネットから引出した状態において、ロック状態とした場合の動作機構について説明する。この状態においては、図７に示すように、係合片Ａ９の下方へ向けた突出部ａ１３が、係合片Ｂ１２の上方へ向けた突出部ｃ１７よりも、外側（図７では下方）に位置する。そして、係合片Ｂ１２は、下方へ向けた突出部ａ１３が上方へ向けた突出部ｂ１６と係合する状態となるように、角度を設定する。つまり、つまみ１９を回すことによって、引出しの操作方向（図７の収納方向と引出し方向）に対して上方へ向けた突出部ｂ１６の幅方向が略垂直となるように、係合片Ｂ１２の角度を設定する。
【００２１】
この状態において、引出し５を収納する際には、図７から図９に示すように係合片Ａ９の下方へ向けた突出部ａ１３が、係合片Ｂ１３の上方へ向けた突出部ｃ１７を、引出しを収納する方向、即ち、上方へ向けた突出部ｂ１６の方向（図７から図９の収納方向）に移動する。つまり、図７に示すように、つまみ１９を回すことにより、係合片Ｂ１２の角度を、上方に向けた突出部ｂ１６の幅方向が、引出しを収納する方向に対して、垂直方向となるように設定した場合は、引出しが開いた状態から引出しを閉じる際に、係合片Ａ９の下方へ向けた突出部ａ１３が、係合片Ｂ１３の上方へ向けた突出部ｃ１７を、一方の突出部ｂ１６の方向に向って押すことになる。
【００２２】
このとき、図８に示すように、上方へ向けた突出部ｃ１７は、その幅方向が係合片Ｂの長尺方向に対して斜めとなっており、係合片Ａの下方に向けた突出部ａ１３の収納方向への進行に対しても斜めになっている。このため、係合片Ａ９の下方に向けた突出部ａ１３が、収納方向へ進行するとともに、係合片Ｂ１２の上方に向けた突出部ｃ１７に対して、図８の右方向に力を作用し、この結果、上方に向けた突出部ｃ１７を有する係合片Ｂ１２は、機軸１４を中心として図８の右方向に回転する。この結果、係合片Ａ９の下方に向けた突出部ａ１３は、係合片Ｂ１２の上方に向けた突出部ｃ１７によって、進行が妨げられることはなく、さらに引出しを収納する方向に向って進行することができる。これに伴って、上方に向けた突出部ｃ１７を有する係合片Ｂ１２は、さらに機軸を中心として図８の右方向に回転し、最終的には、図９に示すように、最小でも、下方に向けた突出部ａ１３と上方に向けた突出部ｃ１７とが、接触しない角度まで回転する。
【００２３】
図９に示すように、係合片Ａ９の下方に向けた突出部ａ１３が、係合片Ｂ１２の上方へ向けた突出部ｃ１７を押し退けた後、さらに収納方向に進行すると、機軸１４の位置に到達する。機軸１４は、その上方を係合片Ａ９の下方に向けた突出部ａ１３が通過できるように、高さが設定される。そして、係合片Ａ９の下方に向けた突出部ａ１３がさらに収納方向に進行すると、上方に向けた突出部ｂ１６の位置に到達する。このとき、係合片Ａ９の下方に向けた突出部ａ１３が、係合片Ｂ１２の上方に向けた突出部ｂ１６に当たらないようにするように、下方に向けた突出部ａ１３、上方に向けた突出部ｂ１６、上方に向けた突出部ｃ１７の大きさ、形状、回転角度等を設定する。
【００２４】
つまり、図９に示すように、係合片Ａ９の幅Ｗよりも、係合片Ａ９の下方に向けた突出部ａ１３が、係合片Ｂ１２の上方へ向けた突出部ｃ１７を押し退けた際の係合片Ｂ１２の回転角度における、係合片Ｂ１２の上方に向けた突出部ｂ１６の一端と突出部ｃ１７の一端との間隙Ｇを大きくする。これにより、引出しを開けた状態で、誤ってロック状態となった場合でも、係合片Ａ９の下方に向けた突出部ａ１３が、係合片Ｂ１２の上方に向けた突出部ｂ１６及び突出部ｃ１７と係合することがないため、引出し操作が妨げられることがない。つまり、係合片Ａ９の下方に向けた突出部ａ１３と、係合片Ｂ１２の上方に向けた突出部ｂ１６及び突出部ｃ１７とが係合する状態が解かれ、ロック状態が解除される。
【００２５】
図４から図９に示すように、係合片Ａの下方に向けた突出部ａ１３が、円柱状の形状を有するのが望ましい。これにより、引出しを明けた状態で誤ってロック状態となった場合に、引出しを閉める操作を行う際、係合片Ａ９の下方に向けた突出部ａ１３が、係合片Ｂ１２の上方に向けた突出部ｃ１７に当たる際の衝撃が小さくなり、スムーズにロックを解除することができる。
【００２６】
係合片Ｂ１２の回転範囲を限定し、図４から図９に示すように、回転範囲の両端部にてこの係合片Ｂ１２を係止するためのマグネット２０を備えるのが望ましい。これにより、つまみ１９のロック状態と非ロック状態の位置を、手探りでも明確に区別することができる。また、引出しを操作する際の衝撃や振動などで、中途半端に係合片Ｂ１２の回転角度が動くことによって、ロック機構が誤動作するのを抑制できる。
【００２７】
以上、図２から図９に示すように、キッチンキャビネットの引出しのロック機構を構成したことにより、ロック機構が、キッチンキャビネットの外から見えない位置に取付けられているため、キッチンキャビネットの外観を損なうことなく、また、ロック機構が外から見えないために気付かれ難い。また、ロックの施錠や解除に鍵が要らないため、使い勝手がよい。さらに、簡易な機構でロック機構を実現できる。
【実施例】
【００２８】
本実施例は、包丁や調理バサミ、カミソリなどを収納する引出しを備えるキッチンキャビネット１であり、その斜視図を図１に示す。このキッチンキャビネット１は、シンク２と、カウンタートップ３と、その下方には、前板４を備えた引出し５とを備えた。
【００２９】
図２に、本実施例に使用する引出し５を、側面から見た断面図を示す。このように、引出し５は、前板４、側板（図示しない）、底板６、背板７を備え、これらにより包丁などを収納可能な引出し箱８が構成した。ロック機構を取付ける引出し５には、底板６の下面に、係合片Ａ９をねじで取付けた。
【００３０】
図３は、ロック機構を取付けたキッチンキャビネットを、引出しを取り除いた状態でみた斜視図である。図３に示すように、横桟１０を、引出し（図示しない）の下方に設け、複数の引出しを上下方向に区切るようにした。ロック機構を取付ける引出しの下方に位置する横桟１０には、その上面に、係合片Ｂ１２をねじで取付けた。
【００３１】
図２、及び、図４から図９に示すように、ロック機構を取付ける引出し５の底板６の下面に取付けた係合片Ａ９には、下方に向けた円柱状の突出部ａ１３を設けた。横桟１０の上面に取付けた係合片Ｂ１２は、機軸１４を中心に回転するようにし、この回転する係合片Ｂ１２の両端には、上方へ向けた突出部ｂ１６及び突出部ｃ１７とを設けた。
【００３２】
図２、及び、図４から図９に示すように、上方へ向けた突出部ｂ１６及び突出部ｃ１７を、係合片Ｂ１２の長尺方向の機軸１４を挟んだ両端にそれぞれ設け、その一方の突出部ｂ１６は、係合片Ｂの長尺方向、即ち、機軸１４を通って係合片Ｂ１２の両端を結ぶ方向に対して、略垂直（図４のθＡ）となる方向に幅を持たせた。そして、この一方の突出部ｂ１６と機軸１４を挟んで反対側に位置する他方の突出部ｃ１７は、係合片Ｂ１２の長尺方向、即ち、機軸１４を通って係合片Ｂ１２の両端を結ぶ方向に対して、２５．８度（図４のθＢ）の角度の方向に幅を持たせた。
【００３３】
図４に示すように、つまみ１９は、横桟１０を挟んで、係合片Ｂ１２と機軸１４により繋がれており、つまみ１９を回すことにより、係合片Ｂ１２も回転するようにした。そして、引出し５をキッチンキャビネットに収納した状態では、係合片Ａ９の下方にむけた突出部ａ１３の全体が、係合片Ｂ１２の上方へ向けた突出部ｂ１６よりも、常にキッチンキャビネットの奥側（図４では上方）に位置するようにした。
【００３４】
ここで、まず、引出し５をキッチンキャビネットに収納した状態において、ロック状態とした場合について説明する。図２、及び、図４に示すように、引出しを引出す際の係合片Ａ９の下方に向けた突出部ａの移動の方向に対して、係合片Ｂ１２の上方に向けた突出部ｂ１６の幅方向が、略垂直となる角度につまみ１９を回した。なお、この位置は、つまみ１９の回転範囲の一端となるようにしてあるので、わざわざ目で見て操作する必要はなく、手探りでのつまみ操作が可能であった。これにより、引出し５を引出そうとしても、係合片Ａ９の下方に向けた突出部ａが、係合片Ｂ１２の上方に向けた突出部ｂ１６に当り、引出し５を開けることができなかった。つまり、ロック状態となった。
【００３５】
次に、引出し５をキッチンキャビネットに収納した状態において、ロックを解除状態した場合について説明する。図５、及び、図６に示すように、引出しを引出す際の係合片Ａ９の下方に向けた突出部ａの移動の方向に対して、係合片Ｂ１２の上方に向けた突出部ｂ１６の一端と突出部ｃ１７の一端との間隔Ｇが、係合片Ａ９の下方に向けた突出部ａの幅Ｗよりも大きくなる角度につまみ１９を回した。なお、この位置は、つまみ１９の回転範囲の一端となるようにしてあるので、わざわざ目で見て操作する必要はなく、手探りでのつまみ操作が可能であった。これにより、引出し５を引出す操作を行う際、下方へ向けた突出部ａ１３は、上方へ向けた突出部ｂ１６の一端と突出部ｃ１７の一端との間隔Ｇの間を通過した。このため、引出し操作を妨げることがなく、引出しを自由に開閉できた。つまり、ロック解除状態となった。
【００３６】
次に、引出し５をキッチンキャビネットから引出した状態において、ロック状態とした場合について説明する。この状態においては、図７〜図９に示すように、下方へ向けた突出部ａ１３が、上方へ向けた突出部ｃ１７よりも、外側（図で言えば下側）に位置した。そして、係合片Ｂ１２は、下方へ向けた突出部ａ１３が上方へ向けた突出部ｂ１６と係合する状態となるように、つまり、引出しの操作方向に対して上方へ向けた突出部ｂ１６の幅方向が略垂直となるようにつまみ１９を回した。なお、この位置は、つまみ１９の回転範囲の一端となるようにしてあるので、わざわざ目で見て操作する必要はなく、手探りでのつまみ操作が可能であった。
【００３７】
この状態において、引出し５を収納する操作を行った。このとき、図７に示すように、下方へ向けた突出部ａ１３が、上方へ向けた突出部ｃ１７を、引出しを収納する方向、即ち、上方へ向けた突出部ｂ１６の方向に向って押す状態となった。つまり、引出しを収納する方向に操作したので、下方へ向けた突出部ａ１３が、上方へ向けた突出部ｃ１７に、図７の下方から当たることになった。
【００３８】
このとき、図８に示すように、上方へ向けた突出部ｃ１７は、その幅方向が係合片Ｂの長尺方向に対して斜めとなっており、係合片Ａの下方に向けた突出部ａ１３の収納方向への進行に対しても斜めになっていた。このため、係合片Ａ９の下方に向けた突出部ａ１３が、収納方向へ進行するとともに、係合片Ｂ１２の上方に向けた突出部ｃ１７に対して、図８の右方向に力を作用し、この結果、上方に向けた突出部ｃ１７を有する係合片Ｂ１２は、機軸１４を中心として図８の右方向に回転した。この結果、係合片Ａ９の下方に向けた突出部ａ１３は、係合片Ｂ１２の上方に向けた突出部ｃ１７によって、進行が妨げられることはなく、さらに引出しを収納する方向に向って進行することができた。これに伴って、上方に向けた突出部ｃ１７を有する係合片Ｂ１２は、さらに機軸を中心として図８の右方向に回転し、最終的には、図９に示すように、下方に向けた突出部ａ１３と上方に向けた突出部ｃ１７とが、接触しない角度まで回転した。
【００３９】
図９に示すように、係合片Ａ９の下方に向けた突出部ａ１３が、係合片Ｂ１２の上方へ向けた突出部ｃ１７を押し退けた後、さらに進行すると、機軸１４の位置に到達した。ここで、機軸１４は、その上方を係合片Ａ９の下方に向けた突出部ａ１３が通過できるように、高さを設定しておいた。そして、係合片Ａ９の下方に向けた突出部ａ１３がさらに進行すると、上方に向けた突出部ｂ１６の位置に到達した。このとき、係合片Ａ９の下方に向けた突出部ａ１３が、係合片Ｂ１２の上方に向けた突出部ｂ１６に当たらないようにするように、下方に向けた突出部ａ１３、上方に向けた突出部ｂ１６、上方に向けた突出部ｃ１７の大きさ、形状、回転角度等を設定した。
【００４０】
つまり、図９に示すように、係合片Ａ９の幅Ｗよりも、係合片Ａ９の下方に向けた突出部ａ１３が、係合片Ｂ１２の上方へ向けた突出部ｃ１７を押し退けた際の係合片Ｂ１２の回転角度における、係合片Ｂ１２の上方に向けた突出部ｂ１６の一端と突出部ｃ１７の一端との間隙Ｇを大きくした。これにより、引出しを開けた状態で、誤ってロック状態となった場合でも、係合片Ａ９の下方に向けた突出部ａ１３が、係合片Ｂ１２の上方に向けた突出部ｂ１６及び突出部ｃ１７と係合することがないため、引出し操作が妨げられることがなかった。つまり、係合片Ａ９の下方に向けた突出部ａ１３と、係合片Ｂ１２の上方に向けた突出部ｂ１６及び突出部ｃ１７とが係合する状態が解かれ、ロック状態が解除された。
【００４１】
係合片Ｂ１２の回転範囲の両端部、つまり、ロック状態と非ロック状態となる位置に、この係合片Ｂ１２を微弱な力で係止するためのマグネット２０を設けた。これにより、ロック状態と非ロック状態とを明確に区別することができる。また、引出しを操作する際の衝撃や振動で、必要以上に係合片Ｂ１２が回転したり、回転角度が動くことによって、ロック機構が誤動作するのを抑制できた。
【図面の簡単な説明】
【００４２】
【図１】実施例のキッチンキャビネットの斜視図である。
【図２】実施例のロック機構取付け箇所を側面から見た断面図である。
【図３】実施例のロック機構取付け箇所を引出しを取り除いて見た斜視図である。
【図４】ロック機構の斜視図である（引出しを閉じた状態で、ロック状態とした場合）。
【図５】ロック機構の斜視図である（引出しを閉じた状態で、ロック解除状態とっした場合）。
【図６】ロック機構の斜視図である（ロック解除状態で、引出しを開けた場合）。
【図７】ロック機構の斜視図である（引出しを開いた状態で、ロック状態とした場合）。
【図８】ロック機構の斜視図である（引出しを開いた状態で、ロック状態とした場合であって、さらに引出しを閉じようとした場合）。
【図９】ロック機構の斜視図である（引出しを開いた状態で、ロック状態とした場合であって、さらに引出しを閉じようとした場合）。
【符号の説明】
【００４３】
１    キッチンキャビネット
２    シンク
３    カウンタートップ
４    前板
５    引出し
６    底板
７    背板
８    引出し箱
９    係合片Ａ
１０    横桟
１１    仕切板
１２    係合片Ｂ
１３    突出部ａ
１４    機軸
１６    突出部ｂ
１７    突出部ｃ
１８    幕板
１９    つまみ
２０    マグネット
２１    ねじ
【図１】
2008104784.tif 000003
【図２】
2008104784.tif 000004
【図３】
2008104784.tif 000005
【図４】
2008104784.tif 000006
【図５】
2008104784.tif 000007
【図６】
2008104784.tif 000008
【図７】
2008104784.tif 000009
【図８】
2008104784.tif 000010
【図９】
2008104784.tif 000011